(57)【要約】【課題】  データ処理装置に追加された機能に対しても利用制限を設けられるようにして、操作性を向上させる。【解決手段】  データ処理装置は、１または複数のアプリケーションを有するデータ処理装置であって、前記１または複数のアプリケーションのうち選択されたアプリケーションに関連付けられたセキュリティレベルに従って、アプリケーションを利用する場合には認証が必要であるかを判断する判断手段と、認証が必要である場合、アプリケーションが選択されるのに従って、ユーザを認証する認証処理を実行する認証手段とを有することを特徴とする。【選択図】  図６
2006172398.tif 000002
【特許請求の範囲】
【請求項１】
１または複数の機能を有するデータ処理装置であって、
前記１または複数の機能のうち選択された機能に関連付けられたセキュリティレベルに従って、機能を利用する場合には認証が必要であるかを判断する判断手段と、
認証が必要である場合、機能が選択されるのに従って、ユーザを認証する認証処理を実行する認証手段とを有することを特徴とするデータ処理装置。
【請求項２】
１または複数の機能を有するデータ処理装置であって、
ユーザを認証するための第１の認証処理を実行する第１の認証手段と、
前記第１の認証処理により認証されたユーザが、前記１または複数の機能のうち選択された機能を利用する場合に、認証が必要であるかを判断する判断手段と、
認証が必要である場合、前記１または複数の機能のうち機能が選択されるのに従って、ユーザを認証するための第２の認証処理を実行する第２の認証手段とを有することを特徴とするデータ処理装置。
【請求項３】
前記判断手段は、機能に対応するセキュリティレベルに従って、機能の利用に認証が必要であるかを判断することを特徴とする請求項２に記載のデータ処理装置。
【請求項４】
前記判断手段は、機能が新しく追加された場合、新しく追加された機能に対応して設定されたセキュリティレベルに従って、機能の利用に認証が必要であるかを判断することを特徴とする請求項３に記載のデータ処理装置。
【請求項５】
１または複数の機能を有するデータ処理装置であって、
ユーザを認証する第１の認証処理を実行する第１の認証手段と、
前記第１の認証処理により認証されたユーザが、前記１または複数の機能のうち選択された機能を利用可能であるかを判断する判断手段と、
利用可能でない場合、ユーザを認証する第２の認証処理を実行する第２の認証手段とを有することを特徴とするデータ処理装置。
【請求項６】
利用可能である場合、前記第２の認証処理を実行することなく、選択された機能を利用可能にすることを特徴とする請求項５に記載のデータ処理装置。
【請求項７】
前記機能は、スキャン機能、コピー機能、プリント機能、ＢＯＸ機能、送信機能のうちの少なくとも１つであることを特徴とする請求項２乃至６のいずれかに記載のデータ処理装置。
【請求項８】
１または複数の機能を有するデータ処理装置における認証処理方法であって、
前記１または複数の機能のうち選択された機能に関連付けられたセキュリティレベルに従って、機能を利用する場合には認証が必要であるかを判断する判断ステップと、
認証が必要である場合、機能が選択されるのに従って、ユーザを認証する認証ステップとを有することを特徴とする認証処理方法。
【請求項９】
１または複数の機能を有するデータ処理装置における認証処理方法であって、
ユーザを認証するための第１の認証処理を実行する第１の認証ステップと、
前記第１の認証処理により認証されたユーザが、前記１または複数の機能のうち選択された機能を利用する場合に、認証が必要であるかを判断する判断ステップと、
認証が必要である場合、前記１または複数の機能のうち機能が選択されるのに従って、ユーザを認証するための第２の認証処理を実行する第２の認証ステップとを有することを特徴とする認証処理方法。
【請求項１０】
１または複数の機能を有するデータ処理装置における認証処理方法であって、
ユーザを認証する第１の認証処理を実行する第１の認証ステップと、
前記第１の認証処理により認証されたユーザが、前記１または複数の機能のうち選択された機能を利用可能であるかを判断する判断ステップと、
利用可能でない場合、ユーザを認証する第２の認証処理を実行する第２の認証ステップとを有することを特徴とする認証処理方法。
【請求項１１】
請求項８乃至１０のいずれかに記載の認証処理方法をデータ処理装置のコンピュータに実行させるためのコンピュータプログラム。
【発明の詳細な説明】
【技術分野】
【０００１】
本発明は、認証処理を行うデータ処理装置、データ処理装置における認証処理方法及び認証処理を制御するプログラムに関するものである。
【背景技術】
【０００２】
複合機などのデータ処理装置に認証機能を設け、データ処理装置の利用制限または利用者の特定を行うことが考えられている。例えば、コピー機能、ファクシミリ機能、プリンタ機能等の複数の機能を有している画像形成システムが、各ユーザのメニュー表示データをＨＤＤに予め記憶しておき、ユーザがこの画像形成システムを使用する場合には、そのユーザを認識し、認識したユーザのユーザ名によって検索されたメニュー表示データに基づいて操作表示部のメニューを表示する（例えば、特許文献１）。ユーザは、表示されたメニューに含まれる機能しか使用することができず、機能の利用制限が行われる。
【特許文献１】特開２００２−１５２４４６号公報
【発明の開示】
【発明が解決しようとする課題】
【０００３】
データ処理装置における情報技術の発展に伴い、データ処理装置にアプリケーションをインストールしたり、データ処理装置からアプリケーションをアンインストールしたりすることが可能になってきた。
【０００４】
特に多種多様なアプリケーションのインストールによって多種多様な機能をデータ処理装置に追加可能になると、例えば特許文献１のように、メニューの表示項目を制限することで機能の利用制限を行う方法では、あらかじめ存在していた機能に対しては利用制限を設けることは可能であっても、後から他の機能が追加された場合には、それをメニュー表示データに反映することができない。後から追加された機能の利用制限を行うためには、各ユーザに対応するメニュー表示データを設定しなおさなければならない。そこで、本発明は、そのような設定の手間をかけることなく、後から追加された機能に対しても利用制限を設けられるようにして、操作性を向上させることを目的とする。
【０００５】
また、特許文献１のように、メニューの表示項目を制限することで機能の利用制限を行う方法では、ユーザ認証が一度行われた後は、認証されたユーザに対応して定義された機能しか利用できない。ユーザの権限を越えた機能をメニューに表示するためには、そのユーザのメニュー表示データを再度設定しなおす必要がある。或いは、一度機器の利用を中止し、再度、別のユーザとして認証しなおす必要がある。そこで、異なる課題として、その時点のユーザの権限では使用できない機能を使用可能にするために、より簡単にユーザ認証をやり直しできるようにすることで、操作性を向上させることを目的とする。
【課題を解決するための手段】
【０００６】
本発明に係わるデータ処理装置は、１または複数のアプリケーションを有するデータ処理装置であって、前記１または複数のアプリケーションのうち選択されたアプリケーションに関連付けられたセキュリティレベルに従って、アプリケーションを利用する場合には認証が必要であるかを判断する判断手段と、認証が必要である場合、アプリケーションが選択されるのに従って、ユーザを認証する認証処理を実行する認証手段とを有することを特徴とする。
【０００７】
または、本発明に係わるデータ処理装置は、１または複数の機能を有するデータ処理装置であって、ユーザを認証するための第１の認証処理を実行する第１の認証手段と、前記第１の認証処理により認証されたユーザが、前記１または複数の機能のうち選択された機能を利用する場合に、認証が必要であるかを判断する判断手段と、認証が必要である場合、前記１または複数の機能のうち機能が選択されるのに従って、ユーザを認証するための第２の認証処理を実行する第２の認証手段とを有することを特徴とする。
【０００８】
または、本発明に係わるデータ処理装置は、１または複数の機能を有するデータ処理装置であって、ユーザを認証する第１の認証処理を実行する第１の認証手段と、前記第１の認証処理により認証されたユーザが、前記１または複数の機能のうち選択された機能を利用可能であるかを判断する判断手段と、利用可能でない場合、ユーザを認証する第２の認証処理を実行する第２の認証手段とを有することを特徴とする。
【発明の効果】
【０００９】
本発明によれば、追加された機能に対しても利用制限を設けられるようにして、操作性を向上させることができる。
【００１０】
または、本発明によれば、その時点でのユーザの権限では使用できない機能を使用可能にするために、より簡単にユーザ認証をやり直しできるようにすることで、操作性を向上させることができる。
【発明を実施するための最良の形態】
【００１１】
（実施例１）
図１は、本発明が適用されるデータ処理装置が接続しているネットワーク構成を示す図である。１０１及び１０２は認証サーバを示す。認証サーバ１０１及び１０２はユーザ情報の管理を行う。
【００１２】
１０６及び１０７は、データ処理装置の一例である複合機を示す。なお、複合機のほかに、印刷装置、プリンタ、ファクシミリ装置、スキャナなどのデータ処理装置であっても良い。複合機１０６及び１０７は、外部から受信した印刷データに基いて用紙に印刷したり、原稿をスキャンして生成した画像データを外部に送信したりする。
【００１３】
１０３及び１０５はＰＣを示す。ＰＣ１０３及び１０５は、アプリケーションプログラムで作成したデータから印刷データを生成し、当該印刷データを複合機１０６及び１０７に送信したり、複合機１０６及び１０７からの画像データを受信して、当該画像データをユーザが閲覧可能に表示する。また、ユーザは、ＰＣ１０３及び１０５からネットワーク１０４を介して複合機１０６及び１０７を遠隔操作することができる。
【００１４】
１０４はネットワークを示す。１０１〜１０３及び１０５〜１０７の各機器は、ネットワーク１０４を介してお互いに通信可能である。
【００１５】
ユーザによる個人認証が複合機１０６及び１０７において行われるよう設定されている場合には、複合機１０６及び１０７は、認証サーバ１０１または１０２と通信をして認証処理を行う。ただし、本発明における認証処理では、認証サーバを介するものに限定されるわけではない。
【００１６】
図２は、複合機１０６及び１０７のハードウェア構成を示す図である。１０１は、複合機を制御するためのコントローラを示す。２０１はＣＰＵ、２０２はＲＡＭ、２０３はＬＣＤディスプレイ、２０４はキーボード、２０５はＲＯＭ、２０６は通信インターフェース、２０７はスキャなエンジン、２０８はプリンタエンジン、２０９はＦＡＸボード、２１０はハードディスクをそれぞれ示す。また、２２０はシステムバスを示し、２０１〜２１０のそれぞれはシステムバス２２０を介して相互に接続されている。
【００１７】
複合機のコントローラはＣＰＵ２０１を中心に構成されている。コントローラを制御する制御プログラムは、ＲＯＭ２０５またはハードディスク２１０に記憶されており、必要に応じてＲＡＭ２０２に読み出されて、ＣＰＵ２０１によって実行される。ＲＯＭ２０５またはハードディスク２１０は、制御プログラム以外にも、複合機で処理されるジョブのデータや、複合機の機能及び状態を示す属性情報、出力の対象となる印刷データなどを記憶する。また、ＣＰＵ２０１がＬＣＤ２０３を制御して、様々な情報をＬＣＤ２０３上に表示させる。また、複合機は、キーボード２０４を介してユーザからの様々な指示を入力する。なお、キーボード２０４の代わりに、タッチパネルが用いられても良い。また、ＣＰＵ２０１は、通信インターフェース２０６を介して外部と通信を行う。
【００１８】
複合機のコントローラは、通信インタフェース２０６を介して複合機の外部と通信をする。通信インターフェース２０６は、例えば、イーサネット（登録商標）インターフェースやＩＥＥＥ１２８４インターフェース、無線インターフェースである。なお、その他の種類のインターフェースであっても良い。
【００１９】
スキャナエンジン２０７は、ＣＰＵ２０１によって制御されており、原稿の画像を読み取って、原稿の画像に対応する画像データを生成する。
【００２０】
プリンタエンジン２０８は、ＣＰＵ２０１によって制御されており、例えば、レーザビームプリンタやインクジェットプリンタ、若しくはその他の種類のプリンタである。
【００２１】
ＦＡＸボード２０９は、ＣＰＵ２０１によって制御されており、画像データを送受信するための通信制御を行い、ＦＡＸ機能を提供する。
【００２２】
複合機のユーザインターフェースは、ＬＣＤディスプレイ２０３及びキーボード２０４等から構成されている。ＬＣＤディスプレイ２０３はユーザに対して情報の表示を行い、キーボード２０４は、ユーザからの指示を入力してコントローラへ伝える。
【００２３】
以上のような構成を有する複合機は、プリンタエンジン２０８を用いてプリント機能を提供し、プリントジョブを処理する。また、複合機は、スキャナエンジン２０７を用いてスキャン機能を提供し、スキャンジョブを処理する。また、複合機は、プリンタエンジン２０８及びスキャナエンジン２０７を用いてコピー機能を提供し、コピージョブを処理する。また、複合機は、プリンタエンジン２０８、スキャナエンジン２０７及びＦＡＸボードを用いてＦＡＸ受信ジョブ及びＦＡＸ送信ジョブを処理する。
【００２４】
複合機のコントローラは、キーボード２０４を介してユーザによって入力された認証情報を取得し、当該認証情報を通信インターフェース２０６を介して認証サーバ１０１または１０２と通信して、認証処理を行う。
【００２５】
図３は、複合機１０６または１０７のコントローラにおける機能構成を示す図である。コントローラはこの他の機能構成を有しているが、ここでは説明を省略する。
【００２６】
３０１は認証処理部を示す。認証処理部３０１は、認証サーバ１０１または１０２と通信をして認証処理を行う。また、認証処理後は、認証後のユーザ名、メールアドレス、セキュリティレベル等を保持する。なお、本発明では、認証処理の方法は認証サーバを介したものには限定されない。また、認証処理は、必ずしもユーザの入力に基づいた認証だけでなく、予め決められた認証情報を利用して認証を行い、ユーザによる情報の入力を必要としない場合もある。
【００２７】
３０２はアプリケーション制御部を示す。アプリケーション制御部３０２は、認証処理部３０１によってユーザ認証が行われた後、認証されたユーザに関連付けられたセキュリティレベルと、ユーザが所望するアプリケーションに関連付けられたセキュリティレベルとを比較し、アプリケーションの実行の可否を判断する。
【００２８】
図４は、認証処理部に保持される認証情報テーブルを示す図である。認証情報テーブルにおける行４０１及び４０２はそれぞれ個々のユーザに対応している。ユーザＩＤは、ユーザを識別する識別子である。セキュリティレベルは、各ユーザのセキュリティレベルである。例えば、行４０１に対応するユーザは、セキュリティレベルとして「ｃｏｐｙ」を有している。従って、このユーザは、「ｃｏｐｙ」のセキュリティレベルを有するアプリケーションに関しては利用可能である。また、セキュリティレベルとして「ｃｏｐｙ」を有しているということは、ユーザがコピー機能を使用可能であることを示している。メールアドレスは、ユーザに対応するメールアドレスである。なお、認証情報テーブルに含まれるレコードはこの例に限定されるわけではない。
【００２９】
図５は、アプリケーションに関連付けられたセキュリティレベルを示すセキュリティレベルテーブルである。行５０１及び５０２がそれぞれ個々のアプリケーションに対応している。アプリケーションＩＤは、アプリケーションを識別する識別子である。セキュリティレベルは、個々のアプリケーションに対応するセキュリティレベルである。例えば、行５０１は、アプリケーションＩＤが「Ｂｏｘ」のアプリケーションを利用するためには、ユーザがセキュリティレベルとして「ｓｃａｎ」及び「ｂｏｘ」を有していなければならないことを意味している。なお、セキュリティレベルテーブルに含まれるレコードはこの例に限定されるわけではない。
【００３０】
なお、新しいアプリケーションが複合機にインストールされた場合には、追加されたそのアプリケーションのアプリケーションＩＤとセキュリティレベルがセキュリティレベルテーブルに登録される。セキュリティレベルは、複合機の管理者によって手動で設定されても良いし、追加されるアプリケーションに付属する付属情報に従って設定されても良い。
【００３１】
以下、本発明に係る情報処理を説明する。図６は、複合機１０６または１０７が実行する処理を示すフローチャートである。図６のフローチャートに対応する制御プログラムをＣＰＵ２０１が実行することにより、この情報処理が行われる。
【００３２】
まず、複合機は、認証待機の状態において、第１の認証画面を表示して、ユーザによる操作が始めるのを待つ（ステップＳ６０１）。図７は、第１の認証画面の一例を示す図である。図７の第１の認証画面は、ＬＣＤディスプレイに表示される。７０１は認証画面を示す。７０２は、ユーザＩＤを入力するための入力部を示す。７０３は、パスワードを入力するための入力部を示す。７０４は、ログインボタンを示す。入力部７０２にユーザＩＤがユーザによって入力され、入力部７０３にパスワードがユーザによって入力された状態で、ログインボタン７０４がユーザによって押下されると、複合機は第１の認証処理を実行する（ステップＳ６０２）。第１の認証処理では、複合機の認証処理部３０１が、入力部７０２及び７０３で入力されたユーザＩＤとパスワードとを認証サーバ１０１または１０２宛てに送信する。なお、認証画面７０１は、認証処理が完了するまで表示される。なお、予め決められた認証情報を利用して認証が行われる場合には、認証画面は表示されない。
【００３３】
認証処理部３０１は、認証サーバ１０１または１０２から認証結果を受信すると、その認証結果に基づいて認証が成功したか否かを判断する（ステップＳ６０３）。認証が成功しなかった場合には、ステップＳ６０１に進む。
【００３４】
認証が成功した場合には、アプリケーション制御部３０２が、現在選択されているアプリケーションのセキュリティレベルと認証が成功したユーザのセキュリティレベルとを比較する（ステップＳ６０４）。ここではまず、認証が成功したユーザは、ステップＳ６０２で入力部７０２において入力されたユーザＩＤに対応するユーザである。また、現在選択されているアプリケーションは、初期画面のアプリケーションとなっているＣｏｐｙアプリケーションである。それぞれのセキュリティレベルは、認証情報テーブル及びセキュリティレベルテーブルから取得される。
【００３５】
アプリケーション制御部３０２は、セキュリティレベルを比較した結果に基づいて、ユーザが現在選択されているアプリケーションを利用可能であるか否かを判断する（ステップＳ６０５）。アプリケーション制御部３０２は、セキュリティレベルが一致する場合には、利用可能であると判断して、現在選択されているアプリケーションのアプリケーション画面を表示する（ステップＳ６０６）。例えば、Ｓ６０２で認証処理されたユーザが、ユーザＩＤ「ｕｓｅｒ１」のユーザである場合には、Ｃｏｐｙアプリケーションのアプリケーション画面が表示される。
【００３６】
図９は、Ｃｏｐｙアプリケーションのアプリケーション画面を示す図である。ユーザは、この画面においてコピー操作を行い、スタートボタンを押下することでコピーの開始を指示する。９０１、９０２及び９０３は、アプリケーションを選択するためのアプリケーション選択ボタンである。ユーザは、ボタン９０１〜９０３のいずれかを押下することにより、所望のアプリケーションを選択することができる。
【００３７】
アプリケーション制御部３０２は、アプリケーションが選択されてアプリケーション画面が表示された後、他のアプリケーションが選択されたかどうかを判断する（ステップＳ６０７）。他のアプリケーションが選択された場合には、ステップＳ６０４に進み、アプリケーション制御部３０２は、新たに選択されたアプリケーションのセキュリティレベルとユーザのセキュリティレベルとを比較する（ステップＳ６０４）。
【００３８】
利用可能でないとＳ６０５で判断された場合、例えば、（１）ユーザＩＤ「ｕｓｅｒ１」のユーザが図９の画面でＢｏｘアプリケーションを選択した場合、或いは（２）Ｓ６０２で認証処理されたユーザがユーザＩＤ「ｕｓｅｒ３」のユーザである場合、アプリケーション制御部３０２は、第２の認証画面を表示する（ステップＳ６０８）。
【００３９】
図８は、Ｂｏｘアプリケーションが選択されている状態での第２の認証画面を示す図である。これは、（１）ユーザＩＤ「ｕｓｅｒ１」のユーザが図９の画面でＢｏｘアプリケーションを選択した場合に、表示される。８０５、８０６及び８０７はそれぞれアプリケーション選択ボタンである。ユーザは、ボタン８０５〜８０７のいずれかを押下することにより、所望のアプリケーションを選択することができる。図８では、Ａｐｐｌｉｃａｔｉｏｎ１アプリケーション、Ｃｏｐｙアプリケーション、Ｂｏｘアプリケーションが選択可能であり、現在は、Ｂｏｘアプリケーションが選択されている。
【００４０】
図８の認証画面は、ＬＣＤディスプレイに表示される。８０１は認証画面を示す。８０２は、ユーザＩＤを入力するための入力部を示す。８０３は、パスワードを入力するための入力部を示す。８０４は、ログインボタンを示す。
【００４１】
アプリケーション制御部３０２は、第２の認証画面において、他のアプリケーションが選択されたかを判断する（ステップＳ６０９）。他のアプリケーションが選択された場合には、ステップＳ６０４に進む。
【００４２】
他のアプリケーションが選択されずに、あらためてユーザＩＤとパスワードがユーザによって入力されて、ログインボタン７０４がユーザによって押下されると、認証処理部３０１は第２の認証処理を実行する（ステップＳ６１０）。
【００４３】
第２の認証処理では、複合機の認証処理部３０１が、入力部８０２及び８０３で入力されたユーザＩＤとパスワードとを認証サーバ１０１または１０２宛てに送信する。なお、認証画面８０１は、認証処理が完了するまで表示される。認証処理部３０１は、認証サーバ１０１または１０２から認証結果を受信すると、その認証結果に基づいて認証が成功したか否かを判断する（ステップＳ６１１）。認証が成功しなかった場合には、ステップＳ６１０に進む。
【００４４】
認証が成功した場合には、アプリケーション制御部３０２が、現在選択されているアプリケーションのセキュリティレベルと認証が成功したユーザのセキュリティレベルとを比較する（ステップＳ６１２）。ここでは、認証が成功したユーザは、ステップＳ６１０で入力部８０２において入力されたユーザＩＤに対応するユーザである。
【００４５】
アプリケーション制御部３０２は、セキュリティレベルを比較した結果に基づいて、ユーザが現在選択されているアプリケーションを利用可能であるか否かを判断する（ステップＳ６１３）。アプリケーション制御部３０２は、セキュリティレベルが一致する場合には、利用可能であると判断して、現在選択されているアプリケーションのアプリケーション画面を表示する（ステップＳ６０６）。
【００４６】
例えば、ユーザＩＤ「ｕｓｅｒ１」のユーザが、Ｂｏｘアプリケーションを利用したい場合には、図８の第２の認証画面において、ユーザＩＤ「ｕｓｅｒ２」とそれに対応するパスワードとを使用すればよい。これにより、ユーザＩＤ「ｕｓｅｒ１」を使っていたユーザは、第１の認証画面での認証に戻ることなく、Ｂｏｘアプリケーションを利用することができる。
【００４７】
なお、Ｓ６０５で利用可能であると判断された場合には、第２の認証画面を表示することなく、アプリケーション画面を表示することにより、アプリケーションが選択されるたびに必ず認証処理が行われることを防止する。
【００４８】
本発明に係わる複合機は、アプリケーションが選択されるたびに、選択されたアプリケーションのセキュリティレベルと認証されたユーザとのセキュリティレベルとを比較するので、複数のアプリケーションのそれぞれ毎に異なるセキュリティレベルを設定することができる。また、ユーザは、選択したアプリケーションのセキュリティレベルと、現在使用しているユーザＩＤに対応するセキュリティレベルとが合致しない場合には、ステップＳ６０１の第１の認証画面に戻ることなく、第２の認証画面において他のユーザＩＤを使って認証をしてもらうことができ、選択したアプリケーションのセキュリティレベルが当該の他のユーザＩＤに対応するセキュリティレベルに合致していれば、選択したアプリケーションを利用することができる。
【００４９】
本発明に係るプログラムコード及び関連データは、フロッピー（登録商標）ディスク（ＦＤ）やＣＤ−ＲＯＭ中に記憶され、そこからコンピュータに供給されうる。また、本発明の目的は、前述した実施形態の機能を実現するソフトウエア（制御プログラム）のプログラムコードを記録した記憶媒体を、コンピュータや画像処理装置に供給し、そのコンピュータや画像処理装置の中央演算ユニット（ＣＰＵ）が記憶媒体に格納されたプログラムコードを読出し実行することによって達成される。プログラムやデータをコンピュータに供給する方法として、フロッピー（登録商標）ディスクに記憶させて、例えばコンピュータ本体に（フロッピー（登録商標）ディスクドライブを介して）供給する方法が一般的である。この場合、記憶媒体から読出されたプログラムコード自体が前述した実施形態の機能を実現することになり、そのプログラムコードを記憶した記憶媒体は本発明を構成することになる。
【００５０】
プログラムコードを供給するための記憶媒体としては、例えば、フロッピー（登録商標）ディスクやハードディスク以外にも，光ディスク，光磁気ディスク，ＣＤ−ＲＯＭ，ＣＤ−Ｒ，ＤＶＤ−ＲＯＭ，ＤＶＤ±Ｒ／ＲＷ，ＤＶＤ−ＲＡＭ，磁気テープ，不揮発性のメモリカード，ＲＯＭなどを用いることができる。また、コンピュータや画像処理装置が読出したプログラムコードを実行することにより、前述した実施形態の機能が実現されるだけでなく、そのプログラムコードの指示に基づき、コンピュータや画像処理装置上で稼働しているＯＳ（オペレーティングシステム）などが実際の処理の一部または全部を行い、その処理によって前述した実施形態の機能が実現される場合も含まれることは言うまでもない。さらに、記憶媒体から読出されたプログラムコードが、コンピュータや画像処理装置に挿入された機能拡張ボードや、コンピュータや画像処理装置に接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００５１】
【図１】ネットワーク構成を示す図である。
【図２】ハードウェア構成を示す図である。
【図３】機能構成を示す図である。
【図４】認証情報テーブルを示す図である。
【図５】セキュリティレベルテーブルを示す図である。
【図６】複合機が実行する処理を示すフローチャートである。
【図７】第１の認証画面を示す図である。
【図８】第２の認証画面を示す図である。
【図９】アプリケーション画面を示す図である。
【符号の説明】
【００５２】
１０１  認証サーバ
１０２  認証サーバ
１０３  ＰＣ
１０４  ネットワーク
１０５  ＰＣ
１０６  複合機
１０７  複合機
【図１】
2006172398.tif 000003
【図２】
2006172398.tif 000004
【図３】
2006172398.tif 000005
【図４】
2006172398.tif 000006
【図５】
2006172398.tif 000007
【図６】
2006172398.tif 000008
【図７】
2006172398.tif 000009
【図８】
2006172398.tif 000010
【図９】
2006172398.tif 000011